(57)【要約】【課題】小粒径トナーを用いた高速作像プロセスを適用した場合であっても、画像かぶりの発生が確実に抑制され、画質の高い鮮明な画像が確実に得られる画像形成装置を提供すること。【解決手段】この画像形成装置においては、回転される像形成体が帯電、露光されて静電潜像が形成され、当該像形成体と現像領域を介して対向配置された現像剤担持体上に形成される、トナーとキャリアとからなる二成分現像剤による磁気ブラシにより像形成体が摺擦されると共に、交番電界が直流電界に重畳された現像電界が現像領域に形成されることにより、前記静電潜像が反転現像、かつ、逆転現像されてトナー像が形成され、前記トナーが体積平均粒径が３〜５μｍであるものであり、前記キャリアが、体積平均粒径が１５〜５０μｍであり、かつ、磁化の強さが３０〜８０ｅｍｕ／ｇであるものであり、現像プロセスが特定の条件を満足する状態で行われる。【選択図】  なし【特許請求の範囲】
【請求項１】
回転される像形成体を備えてなり、当該像形成体を帯電、露光して静電潜像を形成し、当該像形成体と現像領域を介して対向配置された、現像領域において、周面が像形成体と互いに逆方向に移動されるよう回転される現像剤担持体上に、トナーとキャリアとからなる二成分現像剤による磁気ブラシを形成し、当該磁気ブラシにより像形成体を摺擦すると共に、交番電界が直流電界に重畳された現像電界を現像領域に形成することにより、前記静電潜像を反転現像してトナー像を形成する画像形成装置であって、
前記トナーが、体積平均粒径が３〜５μｍであるものであり、前記キャリアが、体積平均粒径が１５〜５０μｍであり、かつ、磁化の強さが３０〜８０ｅｍｕ／ｇであるものであり、
現像プロセスが、下記条件（Ａ）〜（Ｄ）を満足する状態で、行われることを特徴とする画像形成装置。
（Ａ）現像剤担持体の周速度の、像形成体の周速度に対する相対速度で定義される、像形成体と現像剤担持体との衝突速度が４００〜１２００ｍｍ／ｓｅｃの範囲内に設定されること。
（Ｂ）摩擦帯電序列が、（＋）キャリアの表面＞像形成体の表面＞トナー（−）であること。
（Ｃ）像形成体が、その表面粗さがＪＩＳ  Ｂ０６０１で規定される十点表面粗さＲｚで２．０μｍ以下であるものであること。
（Ｄ）像形成体の周速度をｖ〔ｍｍ／ｓｅｃ〕、交番電界の周波数をｆ〔ｋＨｚ〕とするとき、その比ｖ／ｆが２５〜１５０の範囲内に設定されること。
【請求項２】
回転される像形成体を備えてなり、当該像形成体を帯電、露光して静電潜像を形成し、当該像形成体と現像領域を介して対向配置された、現像領域において、周面が像形成体と互いに逆方向に移動されるよう回転される現像剤担持体上に、トナーとキャリアとからなる二成分現像剤による磁気ブラシを形成し、当該磁気ブラシにより像形成体を摺擦すると共に、交番電界が直流電界に重畳された現像電界を現像領域に形成することにより、前記静電潜像を反転現像してトナー像を形成する画像形成装置であって、
前記トナーが、体積平均粒径が３〜５μｍであるものであり、前記キャリアが、体積平均粒径が１５〜５０μｍであり、かつ、磁化の強さが３０〜８０ｅｍｕ／ｇであるものであり、
現像プロセスが、下記条件（Ａ）〜（Ｃ）および（Ｅ）を満足する状態で、行われることを特徴とする画像形成装置。
（Ａ）現像剤担持体の周速度の、像形成体の周速度に対する相対速度で定義される、像形成体と現像剤担持体との衝突速度が４００〜１２００ｍｍ／ｓｅｃの範囲内に設定されること。
（Ｂ）摩擦帯電序列が、（＋）キャリアの表面＞像形成体の表面＞トナー（−）であること。
（Ｃ）像形成体が、その表面粗さがＪＩＳ  Ｂ０６０１で規定される十点表面粗さＲｚで２．０μｍ以下であるものであること。
（Ｅ）像形成体と現像剤担持体との最近接位置より像形成体の回転方向下流側の位置であって、現像剤担持体の表面からの法線方向外方に対する離間距離の大きさが１ｍｍである像形成体上の位置における、像形成体の未露光部と現像剤担持体との間の電界強度が、交番電界が直流電界と同極性のピーク時に、３００〜７００Ｖ／ｍｍの範囲内に設定されること。
【請求項３】
回転される像形成体を備えてなり、当該像形成体を帯電、露光して静電潜像を形成し、当該像形成体と現像領域を介して対向配置された、現像領域において、周面が像形成体と互いに逆方向に移動されるよう回転される現像剤担持体上に、トナーとキャリアとからなる二成分現像剤による磁気ブラシを形成し、当該磁気ブラシにより像形成体を摺擦すると共に、交番電界が直流電界に重畳された現像電界を現像領域に形成することにより、前記静電潜像を反転現像してトナー像を形成する画像形成装置であって、
前記トナーが、体積平均粒径が３〜５μｍであるものであり、前記キャリアが、体積平均粒径が１５〜５０μｍであり、かつ、磁化の強さが３０〜８０ｅｍｕ／ｇであるものであり、
現像プロセスが、下記条件（Ａ）〜（Ｃ）および（Ｆ）を満足する状態で、行われることを特徴とする画像形成装置。
（Ａ）現像剤担持体の周速度の、像形成体の周速度に対する相対速度で定義される、像形成体と現像剤担持体との衝突速度が４００〜１２００ｍｍ／ｓｅｃの範囲内に設定されること。
（Ｂ）摩擦帯電序列が、（＋）キャリアの表面＞像形成体の表面＞トナー（−）であること。
（Ｃ）像形成体が、その表面粗さがＪＩＳ  Ｂ０６０１で規定される十点表面粗さＲｚで２．０μｍ以下であるものであること。
（Ｆ）像形成体と現像剤担持体との最近接位置より像形成体の回転方向下流側の位置であって、現像剤担持体の表面からの法線方向外方に対する離間距離の大きさが１ｍｍである像形成体上の位置における、像形成体の未露光部と現像剤担持体との間の電界強度が、交番電界が直流電界と逆極性のピーク時に、５００〜１０００Ｖ／ｍｍの範囲内に設定されること。
【請求項４】
回転される像形成体を備えてなり、当該像形成体を帯電、露光して静電潜像を形成し、当該像形成体と現像領域を介して対向配置された、現像領域において、周面が像形成体と互いに逆方向に移動されるよう回転される現像剤担持体上に、トナーとキャリアとからなる二成分現像剤による磁気ブラシを形成し、当該磁気ブラシにより像形成体を摺擦すると共に、交番電界が直流電界に重畳された現像電界を現像領域に形成することにより、前記静電潜像を反転現像してトナー像を形成する画像形成装置であって、
前記トナーが、体積平均粒径が３〜５μｍであるものであり、前記キャリアが、体積平均粒径が１５〜５０μｍであり、かつ、磁化の強さが３０〜８０ｅｍｕ／ｇであるものであり、
現像プロセスが、下記条件（Ａ）、（Ｂ）、（Ｄ）および（Ｇ）を満足する状態で、行われることを特徴とする画像形成装置。
（Ａ）現像剤担持体の周速度の、像形成体の周速度に対する相対速度で定義される、像形成体と現像剤担持体との衝突速度が４００〜１２００ｍｍ／ｓｅｃの範囲内に設定されること。
（Ｂ）摩擦帯電序列が、（＋）キャリアの表面＞像形成体の表面＞トナー（−）であること。
（Ｄ）像形成体の周速度をｖ〔ｍｍ／ｓｅｃ〕、交番電界の周波数をｆ〔ｋＨｚ〕とするとき、その比ｖ／ｆが２５〜１５０の範囲内に設定されること。
（Ｇ）現像剤担持体上の現像剤搬送量が１０〜３５ｍｇ／ｃｍ２  であること。
【請求項５】
回転される像形成体を備えてなり、当該像形成体を帯電、露光して静電潜像を形成し、当該像形成体と現像領域を介して対向配置された、現像領域において、周面が像形成体と互いに逆方向に移動されるよう回転される現像剤担持体上に、トナーとキャリアとからなる二成分現像剤による磁気ブラシを形成し、当該磁気ブラシにより像形成体を摺擦すると共に、交番電界が直流電界に重畳された現像電界を現像領域に形成することにより、前記静電潜像を反転現像してトナー像を形成する画像形成装置であって、
前記トナーが、体積平均粒径が３〜５μｍであるものであり、前記キャリアが、体積平均粒径が１５〜５０μｍであり、かつ、磁化の強さが３０〜８０ｅｍｕ／ｇであるものであり、
現像プロセスが、下記条件（Ａ）、（Ｂ）、（Ｅ）および（Ｇ）を満足する状態で、行われることを特徴とする画像形成装置。
（Ａ）現像剤担持体の周速度の、像形成体の周速度に対する相対速度で定義される、像形成体と現像剤担持体との衝突速度が４００〜１２００ｍｍ／ｓｅｃの範囲内に設定されること。
（Ｂ）摩擦帯電序列が、（＋）キャリアの表面＞像形成体の表面＞トナー（−）であること。
（Ｅ）像形成体と現像剤担持体との最近接位置より像形成体の回転方向下流側の位置であって、現像剤担持体の表面からの法線方向外方に対する離間距離の大きさが１ｍｍである像形成体上の位置における、像形成体の未露光部と現像剤担持体との間の電界強度が、交番電界が直流電界と同極性のピーク時に、３００〜７００Ｖ／ｍｍの範囲内に設定されること。
（Ｇ）現像剤担持体上の現像剤搬送量が１０〜３５ｍｇ／ｃｍ２  であること。
【請求項６】
回転される像形成体を備えてなり、当該像形成体を帯電、露光して静電潜像を形成し、当該像形成体と現像領域を介して対向配置された、現像領域において、周面が像形成体と互いに逆方向に移動されるよう回転される現像剤担持体上に、トナーとキャリアとからなる二成分現像剤による磁気ブラシを形成し、当該磁気ブラシにより像形成体を摺擦すると共に、交番電界が直流電界に重畳された現像電界を現像領域に形成することにより、前記静電潜像を反転現像してトナー像を形成する画像形成装置であって、
前記トナーが、体積平均粒径が３〜５μｍであるものであり、前記キャリアが、体積平均粒径が１５〜５０μｍであり、かつ、磁化の強さが３０〜８０ｅｍｕ／ｇであるものであり、
現像プロセスが、下記条件（Ａ）、（Ｂ）、（Ｆ）および（Ｇ）を満足する状態で、行われることを特徴とする画像形成装置。
（Ａ）現像剤担持体の周速度の、像形成体の周速度に対する相対速度で定義される、像形成体と現像剤担持体との衝突速度が４００〜１２００ｍｍ／ｓｅｃの範囲内に設定されること。
（Ｂ）摩擦帯電序列が、（＋）キャリアの表面＞像形成体の表面＞トナー（−）であること。
（Ｆ）像形成体と現像剤担持体との最近接位置より像形成体の回転方向下流側の位置であって、現像剤担持体の表面からの法線方向外方に対する離間距離の大きさが１ｍｍである像形成体上の位置における、像形成体の未露光部と現像剤担持体との間の電界強度が、交番電界が直流電界と逆極性のピーク時に、５００〜１０００Ｖ／ｍｍの範囲内に設定されること。
（Ｇ）現像剤担持体上の現像剤搬送量が１０〜３５ｍｇ／ｃｍ２  であること。
【請求項７】
現像剤担持体上の現像剤搬送量が１５〜３０ｍｇ／ｃｍ２  であることを特徴とする請求項４〜請求項６のいずれかに記載の画像形成装置。
【請求項８】
回転される像形成体を備えてなり、当該像形成体を帯電、露光して静電潜像を形成し、当該像形成体と現像領域を介して対向配置された、現像領域において、周面が像形成体と互いに逆方向に移動されるよう回転される現像剤担持体上に、トナーとキャリアとからなる二成分現像剤による磁気ブラシを形成し、当該磁気ブラシにより像形成体を摺擦すると共に、交番電界が直流電界に重畳された現像電界を現像領域に形成することにより、前記静電潜像を反転現像してトナー像を形成する画像形成装置であって、
前記トナーが、体積平均粒径が３〜５μｍであるものであり、前記キャリアが、体積平均粒径が１５〜５０μｍであり、かつ、磁化の強さが３０〜８０ｅｍｕ／ｇであるものであり、
現像プロセスが、下記条件（Ａ）、（Ｂ）、（Ｄ）および（Ｈ）を満足する状態で、行われることを特徴とする画像形成装置。
（Ａ）現像剤担持体の周速度の、像形成体の周速度に対する相対速度で定義される、像形成体と現像剤担持体との衝突速度が４００〜１２００ｍｍ／ｓｅｃの範囲内に設定されること。
（Ｂ）摩擦帯電序列が、（＋）キャリアの表面＞像形成体の表面＞トナー（−）であること。
（Ｄ）像形成体の周速度をｖ〔ｍｍ／ｓｅｃ〕、交番電界の周波数をｆ〔ｋＨｚ〕とするとき、その比ｖ／ｆが２５〜１５０の範囲内に設定されること。
（Ｈ）現像剤担持体上の法線方向の磁気吸引力のピーク位置が、像形成体と現像剤担持体との最近接位置よりも現像剤担持体の回転方向下流側の位置であって、当該最近接位置に対する中心角の大きさが０〜１０゜となる範囲内に位置されること。
【請求項９】
回転される像形成体を備えてなり、当該像形成体を帯電、露光して静電潜像を形成し、当該像形成体と現像領域を介して対向配置された、現像領域において、周面が像形成体と互いに逆方向に移動されるよう回転される現像剤担持体上に、トナーとキャリアとからなる二成分現像剤による磁気ブラシを形成し、当該磁気ブラシにより像形成体を摺擦すると共に、交番電界が直流電界に重畳された現像電界を現像領域に形成することにより、前記静電潜像を反転現像してトナー像を形成する画像形成装置であって、
前記トナーが、体積平均粒径が３〜５μｍであるものであり、前記キャリアが、体積平均粒径が１５〜５０μｍであり、かつ、磁化の強さが３０〜８０ｅｍｕ／ｇであるものであり、
現像プロセスが、下記条件（Ａ）、（Ｂ）、（Ｅ）および（Ｈ）を満足する状態で、行われることを特徴とする画像形成装置。
（Ａ）現像剤担持体の周速度の、像形成体の周速度に対する相対速度で定義される、像形成体と現像剤担持体との衝突速度が４００〜１２００ｍｍ／ｓｅｃの範囲内に設定されること。
（Ｂ）摩擦帯電序列が、（＋）キャリアの表面＞像形成体の表面＞トナー（−）であること。
（Ｅ）像形成体と現像剤担持体との最近接位置より像形成体の回転方向下流側の位置であって、現像剤担持体の表面からの法線方向外方に対する離間距離の大きさが１ｍｍである像形成体上の位置における、像形成体の未露光部と現像剤担持体との間の電界強度が、交番電界が直流電界と同極性のピーク時に、３００〜７００Ｖ／ｍｍの範囲内に設定されること。
（Ｈ）現像剤担持体上の法線方向の磁気吸引力のピーク位置が、像形成体と現像剤担持体との最近接位置よりも現像剤担持体の回転方向下流側の位置であって、当該最近接位置に対する中心角の大きさが０〜１０゜となる範囲内に位置されること。
【請求項１０】
回転される像形成体を備えてなり、当該像形成体を帯電、露光して静電潜像を形成し、当該像形成体と現像領域を介して対向配置された、現像領域において、周面が像形成体と互いに逆方向に移動されるよう回転される現像剤担持体上に、トナーとキャリアとからなる二成分現像剤による磁気ブラシを形成し、当該磁気ブラシにより像形成体を摺擦すると共に、交番電界が直流電界に重畳された現像電界を現像領域に形成することにより、前記静電潜像を反転現像してトナー像を形成する画像形成装置であって、
前記トナーが、体積平均粒径が３〜５μｍであるものであり、前記キャリアが、体積平均粒径が１５〜５０μｍであり、かつ、磁化の強さが３０〜８０ｅｍｕ／ｇであるものであり、
現像プロセスが、下記条件（Ａ）、（Ｂ）、（Ｆ）および（Ｈ）を満足する状態で、行われることを特徴とする画像形成装置。
（Ａ）現像剤担持体の周速度の、像形成体の周速度に対する相対速度で定義される、像形成体と現像剤担持体との衝突速度が４００〜１２００ｍｍ／ｓｅｃの範囲内に設定されること。
（Ｂ）摩擦帯電序列が、（＋）キャリアの表面＞像形成体の表面＞トナー（−）であること。
（Ｆ）像形成体と現像剤担持体との最近接位置より像形成体の回転方向下流側の位置であって、現像剤担持体の表面からの法線方向外方に対する離間距離の大きさが１ｍｍである像形成体上の位置における、像形成体の未露光部と現像剤担持体との間の電界強度が、交番電界が直流電界と逆極性のピーク時に、５００〜１０００Ｖ／ｍｍの範囲内に設定されること。
（Ｈ）現像剤担持体上の法線方向の磁気吸引力のピーク位置が、像形成体と現像剤担持体との最近接位置よりも現像剤担持体の回転方向下流側の位置であって、当該最近接位置に対する中心角の大きさが０〜１０゜となる範囲内に位置されること。
【発明の詳細な説明】
【０００１】
【発明の属する技術分野】
本発明は、例えば電子写真方式を利用した画像形成装置に関する。
【０００２】
【従来の技術】
近年、例えば電子写真方式を利用した画像形成装置においては、例えばオフセット印刷並の高い画質が要求されるようになってきており、従来は許容されていたレベルの画像不良に対しても、より厳しい評価がなされるようになってきている。このような要請に対して、例えば体積平均粒径が３〜５μｍ程度の小粒径トナーを用いることにより画像の高画質化を図る技術が提案されている。
また、このような画像形成装置においては、作像プロセスの高速化を図り、高生産性を実現することが求められている。
【０００３】
出力画像の高画質化を実現するに際して問題となる画像不良としては種々のものがあるが、その代表的なものの一つに例えば「画像かぶり」がある。
画像かぶりが生ずる原因として考えられているものとしては、例えばトナー飛散と、感光体と磁気ブラシとの擦過とを挙げることができる。
【０００４】
具体的に説明すると、小粒径のトナーを用いた場合には、必然的に、トナー飛散が発生しやすい状態となるので、飛散したトナーの一部が感光体における背景部に付着することがあり、その結果、得られる出力画像に画像かぶり（地肌かぶり）が生じやすくなるものと考えられている。
【０００５】
また、作像プロセスの高速化を実現する場合には、例えば現像剤担持体を高速で回転させることが必要となるので、トナー飛散が発生しやすい状態となり、また、現像剤担持体上に形成される現像剤による磁気ブラシの、感光体に対する擦過力が増大することとなるので、得られる出力画像に画像かぶりが発生しやすくなるものと考えられている。
【０００６】
上記のような問題に対して、例えば、特許文献１の特開２００２−０７２６５８号公報には、現像剤主極の半値幅を狭くすることで、現像領域において、像担持体と現像剤担持体との間に形成される現像電界がトナーとキャリアを分離することができる電界よりも大きな範囲内で、磁気ブラシを立ち上げ、像担持体に摺擦させ、且つ倒れ込ませ、これにより、画像の高画質化を図る技術が開示されている。
【０００７】
而して、上記のような技術によれば、現像領域において、磁気ブラシが活発に動くため、トナー飛散が発生しやすくなるが、特定のトナー補給制御を実行してトナー濃度（トナー帯電量）の制御を精度よく行うことによって、トナー飛散の発生を抑制することができ、これにより、画像かぶりの発生を抑制することができる、とされている。
【０００８】
しかしながら、上述したように、出力画像の評価については厳しい条件が課せられるようになってきており、また、画像の高画質化を図るためにトナーの小粒径化を図ることや高い生産性を得るために作像プロセスの高速化を図ることは、画像かぶりを発生させやすいものとさせている。
特に、いわゆる逆転（カウンター）現像方式によるものにおいては、感光体と現像スリーブとの相対速度が大きくなるので、現像スリーブ上の磁気ブラシの感光体に対する擦過力が大きくなり、感光体の背景部に対するかぶりが顕著に生じやすくなり、更なる対策が望まれている。
【０００９】
【特許文献１】
特開２００２−０７２６５８号公報
【００１０】
【発明が解決しようとする課題】
本発明は、以上のような事情に基づいてなされたものであって、その目的は、小粒径トナーを用いた高速作像プロセスを適用した場合であっても、画像かぶりが発生することを確実に抑制することができ、画質の高い鮮明な画像を確実に得ることができる画像形成装置を提供することにある。
【００１１】
【課題を解決するための手段】
上記の目的は、回転される像形成体を備えてなり、当該像形成体を帯電、露光して静電潜像を形成し、当該像形成体と現像領域を介して対向配置された、現像領域において、周面が像形成体と互いに逆方向に移動されるよう回転される現像剤担持体上に、トナーとキャリアとからなる二成分現像剤による磁気ブラシを形成し、当該磁気ブラシにより像形成体を摺擦すると共に、交番電界が直流電界に重畳された現像電界を現像領域に形成することにより、前記静電潜像を反転現像してトナー像を形成する画像形成装置であって、
前記トナーとして、体積平均粒径が３〜５μｍであるものが用いられると共に、前記キャリアとして、体積平均粒径が１５〜５０μｍであり、かつ、磁化の強さが３０〜８０ｅｍｕ／ｇであるものが用いられる画像形成装置において、
下記〔１〕〜〔１０〕のいずれかの形態をとることにより、達成することができる。
【００１２】
〔１〕現像プロセスが、下記条件（Ａ）〜（Ｄ）を満足する状態で、行われることを特徴とする画像形成装置。
（Ａ）現像剤担持体の周速度の、像形成体の周速度に対する相対速度で定義される、像形成体と現像剤担持体との衝突速度が４００〜１２００ｍｍ／ｓｅｃの範囲内に設定されること。
（Ｂ）摩擦帯電序列が、（＋）キャリアの表面＞像形成体の表面＞トナー（−）であること。
（Ｃ）像形成体が、その表面粗さがＪＩＳ  Ｂ０６０１で規定される十点表面粗さＲｚで２．０μｍ以下であるものであること。
（Ｄ）像形成体の周速度をｖ〔ｍｍ／ｓｅｃ〕、交番電界の周波数をｆ〔ｋＨｚ〕とするとき、その比ｖ／ｆが２５〜１５０の範囲内に設定されること。
【００１３】
〔２〕現像プロセスが、下記条件（Ａ）〜（Ｃ）および（Ｅ）を満足する状態で、行われることを特徴とする画像形成装置。
（Ａ）現像剤担持体の周速度の、像形成体の周速度に対する相対速度で定義される、像形成体と現像剤担持体との衝突速度が４００〜１２００ｍｍ／ｓｅｃの範囲内に設定されること。
（Ｂ）摩擦帯電序列が、（＋）キャリアの表面＞像形成体の表面＞トナー（−）であること。
（Ｃ）像形成体が、その表面粗さがＪＩＳ  Ｂ０６０１で規定される十点表面粗さＲｚで２．０μｍ以下であるものであること。
（Ｅ）像形成体と現像剤担持体との最近接位置より像形成体の回転方向下流側の位置であって、現像剤担持体の表面からの法線方向外方に対する離間距離の大きさが１ｍｍである像形成体上の位置における、像形成体の未露光部と現像剤担持体との間の電界強度が、交番電界が直流電界と同極性のピーク時に、３００〜７００Ｖ／ｍｍの範囲内に設定されること。
【００１４】
〔３〕現像プロセスが、下記条件（Ａ）〜（Ｃ）および（Ｆ）を満足する状態で、行われることを特徴とする画像形成装置。
（Ａ）現像剤担持体の周速度の、像形成体の周速度に対する相対速度で定義される、像形成体と現像剤担持体との衝突速度が４００〜１２００ｍｍ／ｓｅｃの範囲内に設定されること。
（Ｂ）摩擦帯電序列が、（＋）キャリアの表面＞像形成体の表面＞トナー（−）であること。
（Ｃ）像形成体が、その表面粗さがＪＩＳ  Ｂ０６０１で規定される十点表面粗さＲｚで２．０μｍ以下であるものであること。
（Ｆ）像形成体と現像剤担持体との最近接位置より像形成体の回転方向下流側の位置であって、現像剤担持体の表面からの法線方向外方に対する離間距離の大きさが１ｍｍである像形成体上の位置における、像形成体の未露光部と現像剤担持体との間の電界強度が、交番電界が直流電界と逆極性のピーク時に、５００〜１０００Ｖ／ｍｍの範囲内に設定されること。
【００１５】
〔４〕現像プロセスが、下記条件（Ａ）、（Ｂ）、（Ｄ）および（Ｇ）を満足する状態で、行われることを特徴とする画像形成装置。
（Ａ）現像剤担持体の周速度の、像形成体の周速度に対する相対速度で定義される、像形成体と現像剤担持体との衝突速度が４００〜１２００ｍｍ／ｓｅｃの範囲内に設定されること。
（Ｂ）摩擦帯電序列が、（＋）キャリアの表面＞像形成体の表面＞トナー（−）であること。
（Ｄ）像形成体の周速度をｖ〔ｍｍ／ｓｅｃ〕、交番電界の周波数をｆ〔ｋＨｚ〕とするとき、その比ｖ／ｆが２５〜１５０の範囲内に設定されること。
（Ｇ）現像剤担持体上の現像剤搬送量が１０〜３５ｍｇ／ｃｍ２  であること。
【００１６】
〔５〕現像プロセスが、下記条件（Ａ）、（Ｂ）、（Ｅ）および（Ｇ）を満足する状態で、行われることを特徴とする画像形成装置。
（Ａ）現像剤担持体の周速度の、像形成体の周速度に対する相対速度で定義される、像形成体と現像剤担持体との衝突速度が４００〜１２００ｍｍ／ｓｅｃの範囲内に設定されること。
（Ｂ）摩擦帯電序列が、（＋）キャリアの表面＞像形成体の表面＞トナー（−）であること。
（Ｅ）像形成体と現像剤担持体との最近接位置より像形成体の回転方向下流側の位置であって、現像剤担持体の表面からの法線方向外方に対する離間距離の大きさが１ｍｍである像形成体上の位置における、像形成体の未露光部と現像剤担持体との間の電界強度が、交番電界が直流電界と同極性のピーク時に、３００〜７００Ｖ／ｍｍの範囲内に設定されること。
（Ｇ）現像剤担持体上の現像剤搬送量が１０〜３５ｍｇ／ｃｍ２  であること。
【００１７】
〔６〕現像プロセスが、下記条件（Ａ）、（Ｂ）、（Ｆ）および（Ｇ）を満足する状態で、行われることを特徴とする画像形成装置。
（Ａ）現像剤担持体の周速度の、像形成体の周速度に対する相対速度で定義される、像形成体と現像剤担持体との衝突速度が４００〜１２００ｍｍ／ｓｅｃの範囲内に設定されること。
（Ｂ）摩擦帯電序列が、（＋）キャリアの表面＞像形成体の表面＞トナー（−）であること。
（Ｆ）像形成体と現像剤担持体との最近接位置より像形成体の回転方向下流側の位置であって、現像剤担持体の表面からの法線方向外方に対する離間距離の大きさが１ｍｍである像形成体上の位置における、像形成体の未露光部と現像剤担持体との間の電界強度が、交番電界が直流電界と逆極性のピーク時に、５００〜１０００Ｖ／ｍｍの範囲内に設定されること。
（Ｇ）現像剤担持体上の現像剤搬送量が１０〜３５ｍｇ／ｃｍ２  であること。
【００１８】
〔７〕現像剤担持体上の現像剤搬送量が１５〜３０ｍｇ／ｃｍ２  であることを特徴とする〔４〕〜〔６〕のいずれかに記載の画像形成装置。
【００１９】
〔８〕現像プロセスが、下記条件（Ａ）、（Ｂ）、（Ｄ）および（Ｈ）を満足する状態で、行われることを特徴とする画像形成装置。
（Ａ）現像剤担持体の周速度の、像形成体の周速度に対する相対速度で定義される、像形成体と現像剤担持体との衝突速度が４００〜１２００ｍｍ／ｓｅｃの範囲内に設定されること。
（Ｂ）摩擦帯電序列が、（＋）キャリアの表面＞像形成体の表面＞トナー（−）であること。
（Ｄ）像形成体の周速度をｖ〔ｍｍ／ｓｅｃ〕、交番電界の周波数をｆ〔ｋＨｚ〕とするとき、その比ｖ／ｆが２５〜１５０の範囲内に設定されること。
（Ｈ）現像剤担持体上の法線方向の磁気吸引力のピーク位置が、像形成体と現像剤担持体との最近接位置よりも現像剤担持体の回転方向下流側の位置であって、当該最近接位置に対する中心角の大きさが０〜１０゜となる範囲内に位置されること。
【００２０】
〔９〕現像プロセスが、下記条件（Ａ）、（Ｂ）、（Ｅ）および（Ｈ）を満足する状態で、行われることを特徴とする画像形成装置。
（Ａ）現像剤担持体の周速度の、像形成体の周速度に対する相対速度で定義される、像形成体と現像剤担持体との衝突速度が４００〜１２００ｍｍ／ｓｅｃの範囲内に設定されること。
（Ｂ）摩擦帯電序列が、（＋）キャリアの表面＞像形成体の表面＞トナー（−）であること。
（Ｅ）像形成体と現像剤担持体との最近接位置より像形成体の回転方向下流側の位置であって、現像剤担持体の表面からの法線方向外方に対する離間距離の大きさが１ｍｍである像形成体上の位置における、像形成体の未露光部と現像剤担持体との間の電界強度が、交番電界が直流電界と同極性のピーク時に、３００〜７００Ｖ／ｍｍの範囲内に設定されること。
（Ｈ）現像剤担持体上の法線方向の磁気吸引力のピーク位置が、像形成体と現像剤担持体との最近接位置よりも現像剤担持体の回転方向下流側の位置であって、当該最近接位置に対する中心角の大きさが０〜１０゜となる範囲内に位置されること。
【００２１】
〔１０〕現像プロセスが、下記条件（Ａ）、（Ｂ）、（Ｆ）および（Ｈ）を満足する状態で、行われることを特徴とする画像形成装置。
（Ａ）現像剤担持体の周速度の、像形成体の周速度に対する相対速度で定義される、像形成体と現像剤担持体との衝突速度が４００〜１２００ｍｍ／ｓｅｃの範囲内に設定されること。
（Ｂ）摩擦帯電序列が、（＋）キャリアの表面＞像形成体の表面＞トナー（−）であること。
（Ｆ）像形成体と現像剤担持体との最近接位置より像形成体の回転方向下流側の位置であって、現像剤担持体の表面からの法線方向外方に対する離間距離の大きさが１ｍｍである像形成体上の位置における、像形成体の未露光部と現像剤担持体との間の電界強度が、交番電界が直流電界と逆極性のピーク時に、５００〜１０００Ｖ／ｍｍの範囲内に設定されること。
（Ｈ）現像剤担持体上の法線方向の磁気吸引力のピーク位置が、像形成体と現像剤担持体との最近接位置よりも現像剤担持体の回転方向下流側の位置であって、当該最近接位置に対する中心角の大きさが０〜１０゜となる範囲内に位置されること。
【００２２】
【作用】
上記構成の画像形成装置によれば、現像領域における、磁気ブラシの像形成体に対する接触条件および電位状態が適正な状態に制御された状態において、現像プロセスが行われるので、二成分現像剤による磁気ブラシが像形成体に接触する際にトナーかぶりが発生することが抑制され、しかも、像形成体の背景部に対してトナーかぶりが生じてしまった場合であっても、当該像形成体に付着したかぶりトナーが静電的に現像剤担持体に引き戻されて像形成体上から除去され、これにより、画像かぶりの発生が確実に抑制され、得られる出力画像は高い画質を有するものとなる。
【００２３】
【発明の実施の形態】
以下、本発明について図面を参照して詳細に説明する。
図１は、本発明の画像形成装置の一例における構成の概略を示す説明図、図２は、図１に示す画像形成装置における現像装置の構成の概略を感光体との関係において示す説明図である。
この画像形成装置は、回転される像形成体である感光体１０と、この感光体１０の周面に沿って、各々、感光体１０の回転方向に対して動作順に並んで配置された、帯電手段１１、露光手段１２、現像手段、転写手段１３、分離手段１４およびクリーニング手段１５とを備えている。
【００２４】
感光体１０は、例えば、有機光導電体を含有させたポリカーボネート樹脂よりなる感光層がドラム状の金属基体の外周面に形成されてなる有機感光体よりなり、帯電手段１１によってトナーと同極性に帯電される。
【００２５】
現像手段は、現像領域Ｐを介して感光体１０と対向配置された現像剤担持体２１を備えており、この現像剤担持体２１が、感光体１０と対向する位置において、その周面が感光体１０と逆方向に移動されるよう回転され、これにより、後述する二成分現像剤を現像領域Ｐに担持、搬送して、感光体１０上の静電潜像を現像する、いわゆる逆転現像方式を採用した現像装置２０により構成されている。ここに、現像領域における現像剤担持体２１と感光体１０との最近接距離Ｄの大きさは、例えば０．２５〜０．３５ｍｍとされる。
【００２６】
現像剤担持体２１は、回転可能に設けられた現像スリーブ２２と、この現像スリーブ２２の内部に固定して設けられた、複数の磁極を有する円柱状の磁石体２３とにより構成されている。
【００２７】
現像剤担持体２１を構成する現像スリーブ２２には、交流電源２５Ａおよび直流電源２５Ｂが接続されており、これにより、交流電源２５Ａによる交番電界が直流電源２５Ｂによる直流電界に重畳された現像電界が現像領域Ｐに形成される。
【００２８】
この現像装置２０には、トナーとキャリアとからなる二成分現像剤が充填されている。
トナーは、体積平均粒径が３〜５μｍであるトナー粒子よりなり、例えば負帯電特性を有するものである。
キャリアは、体積平均粒径が１５〜５０μｍであり、かつ、磁化の強さが３０〜８０ｅｍｕ／ｇであるキャリア粒子よりなり、現像装置２０内においてトナーと混合、撹拌されることにより、例えばプラスの電位に帯電されるものである。
【００２９】
この画像形成装置においては、摩擦帯電序列が、（＋）キャリアの表面＞感光体１０の表面＞トナー（−）となる関係を満足するよう、感光層の形成材料、トナーを構成する樹脂粒子、およびキャリア粒子の材質が選択される。ここに、トナーの摩擦帯電序列は、トナーを製造するに際して適宜に用いられる外添剤を含むトナー全体の帯電特性である。
【００３０】
（＋）感光体１０の表面＞トナー（−）という摩擦帯電序列に設定されていることにより、トナーが感光体１０の背景部（地肌部）に付着して、画像かぶり（地肌かぶり）が発生することを確実に抑制することができる。
また、（＋）キャリアの表面＞感光体１０の表面（−）という摩擦帯電序列に設定されていることにより、トナーに現像電界が印加されていない場合であっても、トナーを確実に反対極性であるキャリアと静電的に引き合わせることができ、画像かぶりの発生を確実に抑制することができる。
【００３１】
本発明において、例えば「トナーが感光体１０の表面に比して摩擦帯電序列がマイナス（−）である」とは、感光体１０の表面（例えば感光層）を構成する材料よりなるサンプルをトナー（サンプル）と摩擦帯電させたとき、トナーが感光体材料に対して相対的にマイナス側に帯電することを意味する。
摩擦帯電序列は、例えば、接触電位差計「ＳＳＶＩＩ−１０」（（株）川口電機製作所製）を用い、金との接触電位差ΔＶを測定し、金の仕事関数を４．９ｅＶとして、仕事関数Ｗｆ＝４．９−ΔＶよりサンプルの仕事関数Ｗｆを算出し、各々の仕事関数の大きさに基づいて定められる。ここに、摩擦帯電序列は、互いに異なる２つの材料の帯電特性についての相対的な関係を取得することができる装置であれば、いずれのものも用いることができる。
【００３２】
上述したように、この画像形成装置においては、現像スリーブ２２は、現像領域Ｐにおいて、その周面が感光体１０と逆方向に移動するよう回転され、現像スリーブ２２の周速度の、感光体１０の周速度に対する相対速度で定義される衝突速度が、４００〜１２００ｍｍ／ｓｅｃとなるよう、例えば現像スリーブ２２の回転速度が制御される。
衝突速度が４００ｍｍ／ｓｅｃより小さくなる状態に設定されている場合には、十分な現像性が得られず、得られる出力画像に所期の画像濃度を得ることが困難となる。一方、衝突速度が１２００ｍｍ／ｓｅｃを越える状態に設定されている場合には、トナー飛散が発生しやすくなると共に、現像スリーブ２２に形成される磁気ブラシの感光体１０に対する擦過力が過大となり、画像かぶりが発生しやすくなる。
【００３３】
上記の画像形成装置においては、次のようにして画像形成動作が行われる。
すなわち、先ず、感光体１０が図１において矢印で示す方向に回転され、帯電手段１１によって感光体１０の表面が所定の極性（例えばトナーと同極性）に順次に帯電されて所定の電位〔ＶＨ〕が付与され、その後、露光手段１２によって感光体１０の表面が露光されることにより画像データに対応する静電潜像が形成される。
一方、現像スリーブ２２が現像領域Ｐにおいてその周面が感光体１０と逆方向に移動されるよう回転され、感光体１０の表面電位と同じ極性に帯電されたトナーを含む現像剤が、その搬送量が現像剤量規制部材（図示せず）によって規制された状態で、現像スリーブ２２の内部に配設された磁石体２３の磁気力によって磁気ブラシを形成しながら現像領域Ｐに担持、搬送される。
そして、交流電源２５Ａによる交流バイアスが直流電源２５Ｂによる直流バイアスに重畳された現像バイアス電位〔ＶＤ〕が現像スリーブ２２に印加されることにより、交番電界が直流電界に重畳された現像電界が現像領域Ｐに形成され、この状態において、感光体１０の非露光部における表面電位〔ＶＨ〕、感光体１０の露光部における表面電位〔ＶＬ〕、および現像バイアス電位〔ＶＤ〕は、互いに同じ極性であって、その絶対値は〔ＶＨ〕＞〔ＶＤ〕＞〔ＶＬ〕である状態とされるので、現像スリーブ２２上のトナーが感光体１０の露光部に付着して反転現像が行われ、これにより、感光体１０上にトナー像が形成される。
【００３４】
感光体１０上に形成されたトナー像は、転写手段１３によって、これと同期がとられた状態で搬送されてきた転写材Ｔ上に転写され、その後、分離手段１４によって、感光体１０の表面から分離されて、図示しない定着手段による定着処理が行われることにより可視画像が形成される。
一方、感光体１０上に残留する未転写トナーは、クリーニング手段１５によって除去される。
【００３５】
以上においては、現像装置２０による現像プロセスが行われるに際して、（イ）現像スリーブ２２上に形成される磁気ブラシが感光体１０に摺擦される際に、トナーをかぶりにくくするかぶり抑制制御、および、（ロ）かぶってしまったトナー（感光体の背景部に付着してしまったトナー）を除去するかぶりトナー除去制御の両方が実行される。
【００３６】
かぶり抑制制御（イ）に係る動作条件としては、下記条件（Ｃ）、条件（Ｇ）および条件（Ｈ）が挙げられる。
【００３７】
条件（Ｃ）；感光体１０が、その表面粗さがＪＩＳ  Ｂ０６０１の規定による十点平均粗さ（Ｒｚ）で２．０μｍ以下であるものであること。
十点平均粗さ（Ｒｚ）が２．０μｍより大きい場合には、現像スリーブ２２上に形成される磁気ブラシが感光体１０の表面を摺擦する際に、トナーが感光体表面の凹凸における凸部に衝突することによってその凸部に付着しやすくなるので、画像かぶりが生じやすくなる。
【００３８】
条件（Ｇ）；現像スリーブ２２上の現像剤搬送量が１０〜３５ｍｇ／ｃｍ２  であること。
現像剤搬送量が１０ｍｇ／ｃｍ２  より少ない場合には、所期の現像性が得られず、所期の画像濃度を得ることが困難となる。一方、現像剤搬送量が３５ｍｇ／ｃｍ２  より多い場合には、感光体１０と現像スリーブ２２との間の現像領域Ｐにおいて、現像剤詰まり、いわゆる「パッキング現象」が発生して画像かぶりが背景部（地肌部）に生じやすくなる。
また、現像スリーブ２２上の現像剤搬送量は、１５〜３０ｍｇ／ｃｍ２  となるよう設定されていることが好ましく、これにより、所期の現像性を得ながら、画像かぶりの発生を一層確実に抑制することができる。
【００３９】
条件（Ｈ）；現像スリーブ２２の法線方向の磁気吸引力のピーク位置が、現像領域Ｐにおける感光体１０と現像スリーブ２２との最近接位置α１より現像スリーブ２２の回転方向下流側の位置であって、最近接位置に対する中心角θの大きさが０〜１０゜となる範囲内に位置されること。
【００４０】
この条件（Ｈ）を満足することにより、現像領域Ｐにおいて、現像スリーブ２２上における現像剤層の厚みが適正な大きさとされた状態（適正な磁気ブラシの穂立ち状態）とされるので、画像かぶりの発生を確実に抑制することができ、しかも、現像剤を円滑に（スムーズに）搬送することができると共に、現像領域Ｐにおけるパッキング現象の発生を確実に抑制することができる。
一方、磁気吸引力のピーク位置が、現像領域Ｐにおける感光体１０と現像スリーブ２２との最近接位置α１より現像スリーブ２２の回転方向における上流側に位置された場合には、現像剤層の厚みが最も大きくなった状態で感光体１０と接触（衝突）することになるので、画像かぶりが発生しやすくなる。
また、中心角θが１０゜より大きい場合には、現像領域Ｐの出口付近（回転方向における下流側の位置）において、磁気ブラシが最も穂立ちした状態となることになり、キャリア付着が発生しやすくなると共に、所期の現像性を得ることが困難となる。
【００４１】
かぶりトナー除去制御（ロ）に係る動作条件としては、下記条件（Ｄ）〜（Ｆ）が挙げられる。
【００４２】
条件（Ｄ）；感光体１０の周速度（ラインスピード）をｖ〔ｍｍ／ｓｅｃ〕、交番電界の周波数をｆ〔ｋＨｚ〕とするとき、その比ｖ／ｆが２５〜１５０の範囲内に設定されること。
【００４３】
この条件（Ｄ）を満足することにより、交番電界の極性が直流電界と同極性になる回数を可及的に多くされた状態を得ることができ、感光体１０に付着してしまったかぶりトナーに対する十分な除去効果が確実に発揮され、画像かぶりの発生を確実に抑制することができる。
一方、交番電界の周波数ｆを高く設定することによって交番電界の極性が直流電界と同極性になる回数を過度に多くなる状態に設定した場合、すなわち、感光体１０の周速度ｖと交番電界の周波数ｆとの比ｖ／ｆを過小（２５未満）に設定した場合には、トナーが現像スリーブ２２の方向に十分移動しきらないうちに現像電界の極性が反転してトナーが感光体１０の方向へ移動する力を受けてしまい、トナーが現像電界の極性の変化に追従することができなくなるので、十分なかぶりトナー除去効果が得られず、画像かぶりが発生しやすく、しかも、所期の画像濃度を得ることが困難となる。また、感光体１０の周速度ｖを高くして交番電界の周波数ｆとの比ｖ／ｆを過大（１５０を越える状態）に設定した場合には、かぶりトナーが、現像スリーブ２２に引き戻す（除去する）ことが可能な領域に存在する時間が短くなるので、十分なかぶりトナー除去効果が得られず、画像かぶりが発生しやすくなる。
【００４４】
条件（Ｅ）；感光体１０と現像スリーブ２２との最近接位置α２より感光体１０の回転方向下流側の位置であって、現像スリーブ２２の表面から感光体１０の表面までの法線方向に対する離間距離の大きさが１ｍｍである感光体１０上の位置（以下、「特定の位置」ともいう。）βにおける、交番電界が直流電界と同極性のピーク時の、感光体１０の未露光部と現像スリーブ２２との間の電界強度Ｖ１（Ｖ１＝｜Ｖａｃ｜−｜ＶＨ−Ｖｄｃ｜）が、３００〜７００Ｖ／ｍｍの範囲内に設定されること（図３参照。）。
ここに、現像スリーブ２２の表面から感光体１０の表面までの法線方向に対する離間距離の大きさが１ｍｍである感光体１０上の位置βにおける電界強度の大きさを規定している理由は、現像領域Ｐの出口付近（感光体１０の回転方向下流側の位置）において形成される磁気ブラシが、感光体１０の表面から離れる位置の近傍の電界強度が、かぶり除去性能にとって重要である（かぶり除去性能に大きく影響する）からである。
【００４５】
この条件（Ｅ）を満足することにより、感光体１０の背景部に付着してしまったかぶりトナーのうち、逆極性に帯電したトナー（プラス帯電トナー）を、確実に現像スリーブ２２に静電的に引き戻して除去することができ、画像かぶりの発生を確実に抑制することができる。
一方、電界強度Ｖ１が３００Ｖ／ｍｍより小さい状態に設定されている場合には、十分なかぶりトナー（逆極性トナー）除去効果が得られず、画像かぶりが発生しやすく、電界強度Ｖ１が７００Ｖ／ｍｍより大きくなる電界強度に設定されている場合には、現像スリーブ２２上の正規帯電トナー（マイナス帯電トナー）が感光体１０の背景部に付着してトナーかぶりが発生しやすくなる。
【００４６】
条件（Ｆ）；感光体１０と現像スリーブ２２との最近接位置α２より感光体１０の回転方向下流側の位置であって、現像スリーブ２２の表面から感光体１０の表面までの法線方向に対する離間距離の大きさが１ｍｍである感光体１０上の位置（特定の位置）βにおける、交番電界が直流電界と逆極性のピーク時の、感光体１０の未露光部と現像スリーブ２２との間の電界強度Ｖ２（Ｖ２＝｜Ｖａｃ｜＋｜ＶＨ−Ｖｄｃ｜）が、５００〜１０００Ｖ／ｍｍの範囲内に設定されること（図３参照。）。
【００４７】
この条件（Ｆ）を満足することにより、感光体１０の背景部に付着してしまったかぶりトナーのうち、正規帯電トナー（マイナス帯電トナー）を、確実に現像スリーブ２２に静電的に引き戻して除去することができ、画像かぶりの発生を抑制することができる。
一方、電界強度Ｖ２が５００Ｖ／ｍｍより小さい状態に設定されている場合には、十分なかぶりトナー除去効果を得ることが困難であり、電界強度Ｖ２が１０００Ｖ／ｍｍより大きい状態に設定されている場合には、キャリア付着（キャリア現像）が発生しやすくなる。
【００４８】
而して、上記構成の画像形成装置によれば、感光体と現像スリーブとの衝突速度の大きさが適正な大きさに制御されると共に（条件Ａ）、トナー、キャリアおよび感光体の三者の摩擦帯電序列が所定の関係を満足する状態に設定（条件Ｂ）された状態において、かぶり抑制制御に係る動作条件（条件（Ｃ）、条件（Ｇ）、条件（Ｈ））から選ばれた少なくとも一の条件、および、かぶりトナー除去制御に係る動作条件（条件（Ｄ）〜（Ｆ））から選ばれた少なくとも一の条件の両方を満足することにより、現像領域Ｐにおける、現像スリーブ２２上に形成される磁気ブラシの感光体１０に対する接触条件および現像電位条件が適正な状態に制御された状態において、現像プロセスが行われるので、二成分現像剤による磁気ブラシが感光体１０に接触する際にトナーかぶりが発生することが確実に抑制され、しかも、感光体１０の背景部に対してトナーかぶりが生じてしまった場合であっても、当該かぶりトナーが静電的に現像スリーブ２２に引き戻されて感光体１０上から除去され、これにより、画像かぶりが発生することを確実に抑制することができ、高い画質の画像を確実に得ることができる。
従って、体積平均粒径が例えば３〜５μｍである小粒径のトナーを用いた高速の、例えば１分間当たりの画像形成枚数が６０枚である作像プロセスが適用される逆転現像方式のものにおいて極めて有用である。
【００４９】
以上、本発明の実施形態について説明したが、本発明は上記の態様に限定されるものではなく、種々の変更を加えることができる。
例えば、かぶり抑制制御に係る動作条件（条件（Ｃ）、条件（Ｇ）、条件（Ｈ））、および、かぶりトナー除去制御に係る動作条件（条件（Ｄ）〜（Ｆ））の組み合わせは適宜に設定することができ、各々の制御に係る条件が複数設定されていてもよい。
また、以上においては、本発明をモノクロ画像形成装置に適用した場合について説明したが、中間転写方式を利用した画像形成装置や、カラー画像形成装置に適用してもよい。
【００５０】
以下に、本発明の効果を確認するために行った実験例について説明するが、本発明はこれに限定されるものではない。
【００５１】
図１に示される構成に従って画像形成装置を製造した。基本的な構成は以下に示す通りである。
（１）感光体；
外径：６０ｍｍ、感光層の材質：フタロシアニン顔料を含有せしめたポリカーボネート、周速度（ラインスピード）：２２０ｍｍ／ｓｅｃ（１分間当たりの画像出力枚数：５０枚）
（２）現像装置；
現像スリーブ；外径２５ｍｍ、回転方向：現像領域において感光体と逆方向  （逆転現像）、周速度：３３０ｍｍ／ｓｅｃ、衝突速度：５５０ｍｍ／ｓｅｃ、現像領域における感光体との最近接距離：０．３０ｍｍ、
感光体との最近接位置における現像スリーブ表面の法線方向の磁気吸引力：３０ｇｆ（現像スリーブ表面から０．１ｍｍ法線方向外方の位置における値）、
現像スリーブ表面の法線方向の磁気吸引力のピーク値：３５ｇｆ（現像スリーブ表面から０．１ｍｍ法線方向外方の位置における値）、
現像バイアス：交流バイアスを直流バイアスに重畳、
二成分現像剤；
トナー；体積平均粒径：４．５μｍ、球形化度：０．９５、ＣＶ値：２０％、負帯電特性、トナー濃度：６％、
キャリア；材質：フェライト、体積平均粒径：４５μｍ、磁化の強さ：６０ｅｍｕ／ｇ、
摩擦帯電序列；（＋）キャリアの表面＞感光体の表面＞トナー（−）
【００５２】
〔実験例１群〕
（条件設定ａ）
感光体の表面粗さ（Ｒｚ）を１．５μｍ、現像スリーブ上の現像剤搬送量を２５ｍｇ／ｃｍ２  、磁気吸引力のピーク位置を、感光体と現像スリーブとの最近接位置より現像スリーブの回転方向下流側の位置であって、最近接位置に対する中心角の大きさが５゜となる位置に設定すると共に、感光体帯電電位ＶＨを−８００Ｖ、感光体露光電位ＶＬを−１００Ｖ、現像バイアス電位（直流バイアス）Ｖｄｃを−６００Ｖ、現像バイアス電位（交流バイアス）Ｖａｃ×２；−１４００〔Ｖｐ−ｐ〕（正弦波：５ｋＨｚ）、感光体上のトナー付着量を０．３８ｍｇ／ｃｍ２  に設定して実写テストを行い、画像かぶりの発生有無について評価を行った。結果を下記表１に示す。
【００５３】
＜画像かぶりの評価＞
画像かぶりについては、以下のようにして評価を行った。
印字されていない白紙について、マクベス反射濃度計「ＲＤ−９１８」を用いて２０ヶ所の絶対画像濃度を測定して平均し、白紙濃度とする。次に評価形成画像の白地部分について、同様に２０ヶ所の絶対画像濃度を測定して平均し、この平均濃度の白紙濃度に対する相対反射濃度をかぶり濃度として評価した。かぶり濃度が０．００６以下であれば、実用的に問題ないといえ、かぶり濃度が０．００６以下である場合を「○」、０．００６を越える場合を「×」とした。
【００５４】
（条件設定ｂ〜ｊ）
上記条件設定ａにおいて、交流バイアスの周波数ｆを下記表１に従って調整すると共に、感光体の表面粗さ（Ｒｚ）、現像剤搬送量、および磁気吸引力のピーク位置のいずれか一つの条件を調整して、上記と同様の実写テストを行い、画像かぶりの発生有無について評価を行った。結果を下記表１に示す。
【００５５】
【表１】
2005003889.tif 000002
【００５６】
〔実験例２群〕
（条件設定ｋ）
感光体の表面粗さ（Ｒｚ）を１．５μｍ、現像スリーブ上の現像剤搬送量を２５ｍｇ／ｃｍ２  、磁気吸引力のピーク位置を、感光体と現像スリーブとの最近接位置より現像スリーブの回転方向下流側の位置であって、最近接位置に対する中心角の大きさが５゜となる位置に設定すると共に、感光体帯電電位ＶＨを−８００Ｖ、感光体露光電位ＶＬを−１００Ｖ、現像バイアス電位（直流バイアス）Ｖｄｃを−６００Ｖ、現像バイアス電位（交流バイアス）Ｖａｃ×２を−１４００〔Ｖｐ−ｐ〕（正弦波：５ｋＨｚ）、感光体上における特定の位置（〔００４４〕参照。）における、ＡＣ電界のＤＣ電界と同極性のピーク時の電界強度（｜Ｖａｃ｜−｜ＶＨ−Ｖｄｃ｜）の値を５００Ｖ／ｍｍ、感光体上のトナー付着量を０．３８ｍｇ／ｃｍ２  に設定して実写テストを行い、画像かぶりの発生有無について評価を行った。結果を下記表２に示す。
【００５７】
（条件設定ｌ〜ｒ）
上記条件設定ｋにおいて、ＡＣ電界のＤＣ電界と同極性のピーク時の電界強度（｜Ｖａｃ｜−｜ＶＨ−Ｖｄｃ｜）の値を下記表２に従って調整すると共に、感光体の表面粗さ（Ｒｚ）、現像剤搬送量、および磁気吸引力のピーク位置のいずれか一つの条件を調整して、上記と同様の実写テストを行い、画像かぶりの発生有無について評価を行った。結果を下記表２に示す。
【００５８】
【表２】
2005003889.tif 000003
【００５９】
〔実験例３群〕
（条件設定ｓ）
感光体の表面粗さ（Ｒｚ）を１．５μｍ、現像スリーブ上の現像剤搬送量を２５ｍｇ／ｃｍ２  、磁気吸引力のピーク位置を、感光体と現像スリーブとの最近接位置より現像スリーブの回転方向下流側の位置であって、最近接位置に対する中心角の大きさが５゜となる位置に設定すると共に、感光体帯電電位ＶＨを−８００Ｖ、感光体露光電位ＶＬを−１００Ｖ、現像バイアス電位（直流バイアス）Ｖｄｃを−６００Ｖ、現像バイアス電位（交流バイアス）Ｖａｃ×２を−１４００〔Ｖｐ−ｐ〕（正弦波：５ｋＨｚ）、感光体上における特定の位置（〔００４６〕参照。）における、ＡＣ電界のＤＣ電界と逆極性のピーク時の電界強度（｜Ｖａｃ｜＋｜ＶＨ−Ｖｄｃ｜）の値を９００Ｖ／ｍｍ、感光体上のトナー付着量を０．３８ｍｇ／ｃｍ２  に設定して実写テストを行い、画像かぶりの発生有無について評価を行った。結果を下記表３に示す。
【００６０】
（条件設定ｔ〜ｚ）
上記条件設定ｓにおいて、ＡＣ電界のＤＣ電界と逆極性のピーク時の電界強度（｜Ｖａｃ｜＋｜ＶＨ−Ｖｄｃ｜）の値を下記表３に従って調整すると共に、感光体の表面粗さ（Ｒｚ）、現像剤搬送量、および磁気吸引力のピーク位置のいずれか一つの条件を調整して、上記と同様の実写テストを行い、画像かぶりの発生有無について評価を行った。結果を下記表３に示す。
【００６１】
【表３】
2005003889.tif 000004
【００６２】
以上の結果から明らかなように、本発明に係る画像形成装置によれば、画像かぶりの発生が確実に抑制され、画質の高い画像を確実に形成することができることが確認された。
これに対して、トナーかぶり抑制制御に係る条件設定（イ）およびかぶりトナー除去制御に係る条件設定（ロ）のいずれか一方のみを満足するのみでは、画像かぶりの発生を確実に抑制することが困難であるばかりか、現像領域においてパッキングが生じたり、あるいは、画像かぶりは発生していなくとも、現像性が低下して十分な画像濃度が得られなかったり、キャリア付着が発生したりして、画質の高い画像を確実に得ることが困難であることが確認された。
【００６３】
【発明の効果】
本発明の画像形成装置によれば、現像領域における、現像剤担持体上に形成される磁気ブラシの像形成体に対する接触状態および現像電位状態が適正な状態に制御された状態において、現像プロセスが行われるので、二成分現像剤による磁気ブラシが像形成体に接触する際にトナーかぶりが発生することを抑制することができ、しかも、像形成体の背景部に対してトナーかぶりが生じてしまった場合であっても、当該かぶりトナーを静電的に現像剤担持体に引き戻して像形成体上から除去することができ、その結果、画像かぶりが発生することを確実に抑制することができ、従って、高い画質の画像を確実に得ることができる。
【図面の簡単な説明】
【図１】本発明の画像形成装置の一例における構成の概略を示す説明図である。
【図２】図１に示す画像形成装置における現像装置の構成の概略を感光体との関係において示す説明図である。
【図３】現像プロセスが行われるに際しての、現像領域における電位状態を示す説明図である。
【符号の説明】
１０  感光体
１１  帯電手段
１２  露光手段
１３  転写手段
１４  分離手段
１５  クリーニング手段
２０  現像装置
２１  現像剤担持体
２２  現像スリーブ
２３  磁石体
２５Ａ  交流電源
２５Ｂ  直流電源
Ｐ  現像領域
Ｔ  転写材
【図１】
2005003889.tif 000005
【図２】
2005003889.tif 000006
【図３】
2005003889.tif 000007